(57)【要約】【課題】情報処理装置と画像表示装置とを用いた画像表示システムにおいて、演算処理能力の低い情報処理装置でも補正処理を高速かつ適切に可能とする。【解決手段】画像を表示する画像表示装置（プロジェクタ１とする）と、プロジェクタ１の特性に応じた複数種類の補正処理を行い、補正済みの画像データを前記プロジェクタ１に送信する情報処理装置２とを有する画像表示システムであって、情報処理装置２は、前記複数種類の補正処理のうちの少なくとも２種類の補正処理に用いるそれぞれの補正パラメータが考慮された合算補正パラメータを生成する合算補正パラメータ生成部２４１及び合算補正パラメータを用いて前記画像データを補正処理して補正済みの画像データを生成する画像補正処理部２４２を有する画像データ処理部２４と、前記補正済みの画像データを前記プロジェクタ１に送信する通信部２５とを有する。【選択図】図１
2008233458.tif 000002
【特許請求の範囲】
【請求項１】
画像を表示する画像表示装置と、前記画像表示装置の特性に応じた複数種類の補正処理を行い、補正済みの画像データを前記画像表示装置に送信する情報処理装置とを有する画像表示システムであって、
前記情報処理装置は、前記複数種類の補正処理のうちの少なくとも２種類の補正処理に用いるそれぞれの補正パラメータが考慮された合算補正パラメータを生成する合算補正パラメータ生成部及び前記合算補正パラメータを用いて前記画像データを補正処理して補正済みの画像データを生成する画像補正処理部を有する画像データ処理部と、
前記補正済みの画像データを前記画像表示装置に送信する通信部と、
を有することを特徴とする画像表示システム。
【請求項２】
請求項１に記載の画像表示システムにおいて、
前記画像データ処理部は、前記合算補正パラメータの生成を前記画像表示装置が投射を開始する前の段階で行うことを特徴とする画像表示システム。
【請求項３】
請求項１又は２に記載の画像表示システムにおいて、
前記２種類の補正処理に用いるそれぞれの補正パラメータのうち少なくとも１種類の補正処理に用いる補正パラメータがｎ個（ｎは２以上の整数）の代表値であるとき、
前記合算補正パラメータ生成部は、
前記ｎ個の代表値を高次の補間式を用いて補間処理する第１の補間処理と、前記第１の補間処理によって得られた第１の補間処理後の補正パラメータに基づいてｍ個（ｍ＞ｎ）の代表値を設定する第２の補間処理とを行い、前記ｍ個の代表値と前記１種類以外の補正処理に用いる補正パラメータとが考慮された合算補正パラメータを生成することを特徴とする画像表示システム。
【請求項４】
画像を表示する画像表示装置と、前記画像表示装置の特性に応じた複数種類の補正処理を行い、補正済みの画像データを前記画像表示装置に送信する情報処理装置とを有する画像表示システムに用いられる前記情報処理装置であって、
前記複数種類の補正処理のうちの少なくとも２種類の補正処理に用いるそれぞれの補正パラメータが考慮された合算補正パラメータを生成する合算補正パラメータ生成部及び前記合算補正パラメータを用いて前記画像データを補正処理して補正済みの画像データを生成する画像補正処理部を有する画像データ処理部と、
前記補正済みの画像データを前記画像表示装置に送信する通信部と、
を有することを特徴とする情報処理装置。
【請求項５】
画像を表示する画像表示装置と、前記画像表示装置の特性に応じた複数種類の補正処理を行い、補正済みの画像データを前記画像表示装置に送信する情報処理装置とを有する画像表示システムに用いられる前記情報処理装置における画像データ処理方法であって、
前記複数種類の補正処理のうちの少なくとも２種類の補正処理に用いるそれぞれの補正パラメータが考慮された合算補正パラメータを生成するステップと、
前記合算補正パラメータを用いて前記画像データを補正処理して補正済みの画像データを生成するステップと、
前記補正済みの画像データを前記画像表示装置に送信するステップと、
を有することを特徴とする情報処理装置における画像データ処理方法。
【請求項６】
画像を表示する画像表示装置と、前記画像表示装置の特性に応じた複数種類の補正処理を行い、補正済みの画像データを前記画像表示装置に送信する情報処理装置とを有する画像表示システムに用いられる前記情報処理装置における画像データ処理プログラムであって、
前記複数種類の補正処理のうちの少なくとも２種類の補正処理に用いるそれぞれの補正パラメータが考慮された合算補正パラメータを生成するステップと、
前記合算補正パラメータを用いて前記画像データを補正処理して補正済みの画像データを生成するステップと、
前記補正済みの画像データを前記画像表示装置に送信するステップと、
を有することを特徴とする情報処理装置における画像データ処理プログラム。
【発明の詳細な説明】
【技術分野】
【０００１】
本発明は、情報処理装置と画像表示装置とを用いた画像表示システム、画像表示システムに用いる情報処理装置、情報処理装置における画像データ処理方法及び情報処理装置における画像データ処理プログラムに関する。
【背景技術】
【０００２】
表示すべき画像データを供給する情報処理装置（例えば、パーソナルコンピュータ）と、情報処理装置で画像処理された画像をスクリーンに投射する画像表示装置としてのプロジェクタとを備えた画像表示装置システムが知られている。
【０００３】
このような画像表示システムにおいては、情報処理装置からプロジェクタに伝送された画像データは、プロジェクタ側の画像データ処理装置により、補正処理など各種の画像処理がなされる。
【０００４】
このため、プロジェクタ内の画像データ処理装置が大規模となり、高コスト化の要因ともなっている。また、より一層の高画質化を実現するには、高精度な補正処理が必要となり、高性能な画像データ処理装置をプロジェクタに搭載する必要があるため、プロジェクタの高コスト化がさらに進むことになる。
【０００５】
このような問題に対処可能な画像表示システムとして、ホストベース型のプロジェクタを用いた画像表示システムが知られている（例えば、特許文献１、特許文献２参照）。
【０００６】
【特許文献１】特開２００４−６９９９６号公報
【特許文献２】特開２００４−８８１９４号公報
【発明の開示】
【発明が解決しようとする課題】
【０００７】
特許文献１及び２に開示された画像表示システムは、各種の補正処理を情報処理装置側で行い、補正処理後の画像データをＵＳＢケーブルなどの信号伝送手段によってプロジェクタに送信するものであり、補正処理の殆どを情報処理装置上で行っている。
【０００８】
このため、特許文献１及び２に開示された画像表示システムでは、プロジェクタの構成を簡素化することができるが、情報処理装置側に大きな演算処理の負担がかかることとなる。したがって、特許文献１及び２に開示された画像表示システムにおいては、情報処理装置は高い演算処理能力が必要となり、演算処理能力が高くないと、情報処理装置での補正処理がプロジェクタ側での表示のフレームレートに間に合わなくなって、プロジェクタ側では適切なフレームレートでの表示が維持できないといった問題が発生する。
【０００９】
このような問題を回避するには、情報処理装置側で行うべき補正処理の度合いを低く抑えることも考えられるが、情報処理装置側で行うべき補正処理の度合いを低く抑えると、プロジェクタで表示される画質の劣化を招くという問題が生じる。
【００１０】
本発明は、情報処理装置と画像表示装置とを用いた画像表示システムにおいて、演算処理能力がそれほど高くない情報処理装置においても十分な補正処理を行うことができ、それによって画像表示装置側では適切なフレームレートでの表示を可能とする画像表示システム、画像表示システムに用いる情報処理装置、情報処理装置における画像データ処理方法及び情報処理装置における画像データ処理プログラムを提供することを目的とする。
【課題を解決するための手段】
【００１１】
（１）本発明の画像表示システムは、画像を表示する画像表示装置と、前記画像表示装置の特性に応じた複数種類の補正処理を行い、補正済みの画像データを前記画像表示装置に送信する情報処理装置とを有する画像表示システムであって、前記情報処理装置は、前記複数種類の補正処理のうちの少なくとも２種類の補正処理に用いるそれぞれの補正パラメータが考慮された合算補正パラメータを生成する合算補正パラメータ生成部及び前記合算補正パラメータを用いて前記画像データを補正処理して補正済みの画像データを生成する画像補正処理部を有する画像データ処理部と、前記補正済みの画像データを前記画像表示装置に送信する通信部とを有することを特徴とする。
【００１２】
本発明の画像表示システムによれば、少なくとも２種類の補正処理に用いるそれぞれの補正パラメータが考慮された合算補正パラメータを生成し、生成した合算補正パラメータを用いて前記画像データを補正処理するようにしている。このように、合算補正パラメータを用いて補正処理を行うことにより、複数種類の補正処理を行う場合であっても、１つの補正処理のアルゴリズムによって、複数種類の補正がなされたのと同等の画像データを生成することができる。
【００１３】
したがって、従来と同等の補正処理を行いながらも補正処理に要する時間は短縮されるため、演算処理能力が高くない情報処理装置であっても短時間で複数種類の補正処理を実行することができる。これにより、情報処理装置と画像表示装置とを用いた画像表示システムにおいて、情報処理装置側での補正処理が画像表示装置側での表示のフレームレートに間に合わなくなるといった問題を回避することができ、画像表示装置では、適切なフレームレートでの表示が可能となる。また、情報処理装置が行うべき補正処理の度合いを低く抑えることがなく、本来行うべき画像データ処理を行うことができるので、画像表示装置で表示される画質を高品質に維持することができる。
【００１４】
（２）前記（１）に記載の画像表示システムにおいては、前記画像データ処理部は、前記合算補正パラメータの生成を前記画像表示装置が投射を開始する前の段階で行うことが好ましい。
【００１５】
このように、前記画像表示装置が投射を開始する前の段階において前記情報処理装置側で合算補正パラメータを生成しておくことにより、前記画像表示装置が投射を開始した以降は、合算補正パラメータを用いた補正処理を行えばよいので、演算処理能力が高くない情報処理装置であっても短時間で複数種類の補正処理を実行することができる。
【００１６】
（３）前記（１）又は（２）に記載の画像表示システムにおいては、前記２種類の補正処理に用いるそれぞれの補正パラメータのうち少なくとも１種類の補正処理に用いる補正パラメータがｎ個（ｎは２以上の整数）の代表値であるとき、前記合算補正パラメータ生成部は、前記ｎ個の代表値を高次の補間式を用いて補間処理する第１の補間処理と、前記第１の補間処理によって得られた第１の補間処理後の補正パラメータに基づいてｍ個（ｍ＞ｎ）の代表値を設定する第２の補間処理とを行い、前記ｍ個の代表値と前記１種類以外の補正処理に用いる補正パラメータとが考慮された合算補正パラメータを生成することが好ましい。
【００１７】
このように、線形補間を行う際の合算補正パラメータの代表値は、高次の補間式によって得られた代表値を基にして得られるので、単純な線形補間であっても十分な精度を有するものとなる。
【００１８】
（４）本発明の情報処理装置は、画像を表示する画像表示装置と、前記画像表示装置の
特性に応じた複数種類の補正処理を行い、補正済みの画像データを前記画像表示装置に送信する情報処理装置とを有する画像表示システムに用いられる前記情報処理装置であって、前記複数種類の補正処理のうちの少なくとも２種類の補正処理に用いるそれぞれの補正パラメータが考慮された合算補正パラメータを生成する合算補正パラメータ生成部及び前記合算補正パラメータを用いて前記画像データを補正処理して補正済みの画像データを生成する画像補正処理部を有する画像データ処理部と、前記補正済みの画像データを前記画像表示装置に送信する通信部とを有することを特徴とする。
【００１９】
このような構成を有する情報処理装置を画像表示システムに用いることにより、前記（１）に記載の画像表示システムを実現することができる。これにより、前記（１）に記載の画像表示システムと同様の効果が得られる。なお、（４）に記載の情報処理装置においても、前記（２）、（３）に記載の画像表示システムと同様の特徴とを有することが好ましい。
【００２０】
（５）本発明の情報処理装置における画像データ処理方法は、画像を表示する画像表示装置と、前記画像表示装置の特性に応じた複数種類の補正処理を行い、補正済みの画像データを前記画像表示装置に送信する情報処理装置とを有する画像表示システムに用いられる前記情報処理装置における画像データ処理方法であって、前記複数種類の補正処理のうちの少なくとも２種類の補正処理に用いるそれぞれの補正パラメータが考慮された合算補正パラメータを生成するステップと、前記合算補正パラメータを用いて前記画像データを補正処理して補正済みの画像データを生成するステップと、前記補正済みの画像データを前記画像表示装置に送信するステップとを有することを特徴とする。
【００２１】
情報処理装置が前記した各ステップによる画像データ処理を行うことによって、前記（１）に記載の画像表示システムを実現することができる。これにより、前記（１）に記載の画像表示システムと同様の効果が得られる。なお、（５）に記載の情報処理装置における画像データ処理方法においても、前記（２）、（３）に記載の画像表示システムと同様の特徴とを有することが好ましい。
【００２２】
（６）本発明の情報処理装置における画像データ処理プログラムは、画像を表示する画像表示装置と、前記画像表示装置の特性に応じた複数種類の補正処理を行い、補正済みの画像データを前記画像表示装置に送信する情報処理装置とを有する画像表示システムに用いられる前記情報処理装置における画像データ処理プログラムであって、前記複数種類の補正処理のうちの少なくとも２種類の補正処理に用いるそれぞれの補正パラメータが考慮された合算補正パラメータを生成するステップと、前記合算補正パラメータを用いて前記画像データを補正処理して補正済みの画像データを生成するステップと、前記補正済みの画像データを前記画像表示装置に送信するステップとを有することを特徴とする。
【００２３】
このような画像データ処理プログラムを情報処理装置に実行させることによって、前記（１）に記載の画像表示システムを実現することができる。これにより、前記（１）に記載の画像表示システムと同様の効果が得られる。なお、（６）に記載の情報処理装置における画像データ処理プログラムにおいても、前記（２）、（３）に記載の画像表示システムと同様の特徴とを有することが好ましい。
【発明を実施するための最良の形態】
【００２４】
以下、本発明の実施形態について説明する。
図１は本発明の実施形態に係る画像表示システムの外観構成を示す図である。図１に示すように、本発明の実施形態に係る画像表示システムは、画像表示装置としてのプロジェクタ１とパーソナルコンピュータなどの情報処理装置２とを有し、これらプロジェクタ１と情報処理装置２とはＵＳＢケーブルなどの接続ケーブル３によって接続されている。な
お、情報処理装置２とプロジェクタ１との通信は、接続ケーブル３によるものではなく、無線通信を用いることも可能である。
【００２５】
本発明の実施形態に係る画像表示システムで用いられるプロジェクタ１は、いわゆるホストベース型のプロジェクタである。したがって、プロジェクタ１の特性に応じた各種の補正処理は情報処理装置２側で行い、補正処理の施された画像データをプロジェクタ１に送信する。そして、プロジェクタ１では情報処理装置２から送信されてくる補正処理の施された画像データを通信部１１で受信して、受信した画像データに基づいて画像投射部１２が投射に必要な最小限の処理を行う。また、プロジェクタ１は、プロジェクタ１の特性などに応じた補正パラメータ（例えば色ムラ補正パラメータ）を記憶する画像補正パラメータ記憶部１３と、プロジェクタ１を制御する制御部１４とを有する。
【００２６】
図２は画像投射部１２の構成を概略的に示す図である。画像投射部１２は、図２に示されるように、光源装置３６１と、二枚のレンズアレイ３６４と、色分離光学系３６５と、電気光学変調装置３７１と、クロスダイクロイックプリズム３７５と、投射光学系３７６とを有している。
【００２７】
このような構成において、光源３６２からの光は、リフレクタ３６３で平行光束にされ、二枚のレンズアレイ３６４を通って色分離光学系３６５に進む。色分離光学系３６５は、赤色（Ｒ）を反射して緑（Ｇ）及び青色（Ｂ）を通過させるダイクロイックミラー３６６と、緑色を反射して青色を通過させるダイクロイックミラー３６７とを有し、光を赤色、緑色、青色に分離する。
そして、赤色は反射ミラー３６８で反射されて電気光学変調装置３７１の赤色用液晶パネル３７２に入射し、緑色は電気光学変調装置３７１の緑色用液晶パネル３７３に入射し、青色は２枚の反射ミラー３６９ａ，３６９ｂを有するリレー光学系３６９によって電気光学変調装置３７１の青色用液晶パネル３７４に入射する。各色は各液晶パネル３７２〜３７４において画像データに応じた所定の変調を受けて、クロスダイクロイックプリズム３７５で合成される。合成された画像は投射光学系３７６から投射され、スクリーン４００上に表示される。
なお、図２に示す画像投射部１２は一例であって、図２に示される構成に限られるものではない。
【００２８】
情報処理装置２は、プロジェクタ１で投射すべき画像データを取得する画像データ取得部２１と、自身に接続されたプロジェクタ１の特性などに応じた複数種類の補正処理を行うための複数種類の補正パラメータを取得する補正パラメータ取得部２２と、取得した補正パラメータを記憶する補正パラメータ記憶部２３と、各種の画像データ処理を行う画像データ処理部２４と、プロジェクタ１との間での通信が可能な通信部２５とを有している。なお、通信部２５は他の情報処理機器やネットワークなどとの間での通信も可能とする。
【００２９】
画像データ処理部２４は、複数種類の補正処理のうちの少なくとも２種類の補正処理に用いるそれぞれの補正パラメータが考慮された補正パラメータ（これを本発明では合算補正パラメータとしている）を生成する合算補正パラメータ生成部２４１と、画像データ取得部２１で取得された画像データに対し、合算補正パラメータを用いて補正処理を行い、補正済みの画像データを生成する画像補正処理部２４２とを有している。
【００３０】
なお、画像補正処理部２４２が行う補正処理としては、形状補正、γ補正、色ムラ補正、キーストーン補正、さらに、ルックアップテーブルを用いてパラメータをテーブル参照することで行う補正など、図１では図示されていない様々な補正がある。
【００３１】
図３は本発明の実施形態に係る画像表示システムの全体的な処理の手順を概略的に説明するフローチャートである。情報処理装置２においては、プロジェクタ１が接続されると、補正パラメータ取得部２２は画像補正パラメータ記憶部１３に記憶されたプロジェクタ１の特性に応じた複数種類の補正を行うための複数種類の補正パラメータを取得する(ス
テップＳ１)。そして、取得した補正パラメータに基づいて、合算補正パラメータ生成部
２４１は複数種類の補正処理のうちの少なくとも２種類の補正処理に用いるそれぞれの補正パラメータが考慮された合算補正パラメータを生成する（ステップＳ２）。続いて、画像補正処理部２４２は、投射すべき画像データに対して合算補正パラメータを用いて補正を行い（ステップＳ３）、補正済み画像データを生成する。そして、画像データ処理部２４は、補正済み画像データを通信部２５によりプロジェクタ１に送信する（ステップＳ４）。
【００３２】
一方、プロジェクタ１では、情報処理装置２から送信されてきた補正済み画像データを通信部１１が受信し（ステップＳ５）、補正済み画像データに基づいて、画像投射部１２によってスクリーンなどに画像を投射する（ステップＳ６）。
【００３３】
以下に本発明の具体的な実施形態を実施形態１及び実施形態２として説明する。以下に示す各実施形態では、補正処理として、γ補正を実行した後に色ムラ補正を実行する場合を例にとって説明する。ここで、γ補正は各プロジェクタに共通の補正処理であり、色ムラ補正は個々のプロジェクタごとに異なる補正処理である。したがって、色ムラ補正を行うための色ムラ補正パラメータは、情報処理装置２に接続される個々のプロジェクタに対応した色ムラ補正パラメータを取得する必要がある。
【００３４】
なお、以下に示す各実施形態においては、情報処理装置２にプロジェクタ１を接続したあと、情報処理装置２が通信部２５を介してプロジェクタ１から補正パラメータを取得するものとする。
【００３５】
[実施形態１]
図４は画像データ取得部２１によって取得された画像データに対してγ補正と色ムラ補正を行う場合の一般的な処理の手順について説明する図である。図４に示すように、従来から一般的に行われている画像データ生成処理は、画像データ取得部２１で取得された画像データＤ１に対して、まず、γ補正を行ってγ補正済みの画像データ（中間画像データＤ１’という）を生成し、生成された中間画像データＤ１’に対して色ムラ補正を行い、補正済みの画像データＤ２を生成するといった処理がなされる。
【００３６】
ところで、γ補正は、入力階調に応じた出力階調が与えられる単純な（１つのパラメータに対して出力値が決定される）補正処理であるが、色ムラ補正は、画像の２次元の座標位置と階調に応じた合計３次元のデータが関係する（３つのパラメータに対して出力値が決定される）補正処理である。また、色ムラ補正は、２次元空間における代表的な位置と代表的な階調に応じた色ムラ補正パラメータが与えられており、それらを適当な精度で補間することによって任意の位置及び任意の階調の色ムラ補正パラメータを算出することが行われている。
【００３７】
これを踏まえて、実施形態１では、代表的な位置と代表的な階調に対して、γ補正パラメータと色ムラ補正パラメータとが考慮された合算補正パラメータを生成し、生成した合算補正パラメータを新たな補正パラメータとして保持する。
【００３８】
図５は合算補正パラメータを生成する手順を説明する図である。γ補正は、図５（ａ）に示すように、入力階調に応じた出力階調が与えられる単純な補正であるが、色ムラ補正は、図５（ｂ）に示すように画像の２次元の座標位置と階調に応じた合計３次元のデータ
が関係する補正処理である。本発明の実施形態では、図５（ｃ）に示すように、代表的な位置と代表的な階調に対して、γ補正パラメータと色ムラ補正パラメータとが考慮された合算補正パラメータを生成する。
図５に示す処理は、プロジェクタ１が投射を開始する前の段階において情報処理装置１側で行っておく。また、合算補正パラメータは、代表的な位置及び代表的な階調における合算補正パラメータである
【００３９】
図６は合算補正パラメータを用いて画像データ処理を行う例について説明する図である。図６に示すように、画像データ処理部２４の画像補正処理部２４２では、図５によって生成された合算補正パラメータ（図５（ｃ）参照）を用いてγ補正と色ムラ補正とを行う。
このとき、合算補正パラメータが与えられている代表的な位置及び代表的な階調をもつ画像データに対しては、その合算補正パラメータをそのまま用い、合算補正パラメータが与えられていない画像データに対しては、合算補正パラメータを線形補間して得た補正値を用いて処理を行う。この結果、画像データ取得部２１で取得された画像データＤ１は、図５（ｃ）に示す合算補正パラメータを用いて補正処理が行われ、補正済み画像データＤ２が生成される。図６に示すように、画像補正処理部２４２が行う補正処理は単純化されたものとなる。
【００４０】
図６の例では、γ補正と色ムラ補正について考えているが、これら２つの補正処理を行う場合であっても、１つの補正処理（この場合は色ムラ補正）のアルゴリズムによって、γ補正と色ムラ補正の２つの補正がなされたのと同等の画像データを生成することができる。
【００４１】
したがって、複数種類の補正（この場合、γ補正と色ムラ補正）を行いながらも補正に要する時間は短縮されるため、情報処理装置２の演算処理能力が高くなくても短時間で複数種類の補正処理を実行することができる。これにより、情報処理装置２側での補正処理がプロジェクタ１側での表示のフレームレートに間に合わなくなるといった問題を回避することができ、プロジェクタ１では、適切なフレームレートでの表示が可能となる。また、情報処理装置２が行うべき補正処理の度合いを低く抑えることなく、本来行うべき複数種類の補正処理を実行できるので、プロジェクタで表示される画質を高品質に維持することができる。
【００４２】
ところで、補正処理を行うための演算処理装置としてＧＰＵ（Graphic Processing Unit）を搭載していない一般的な情報処理装置においては、ＣＰＵ（Central Processing Unit）により画像データ処理を行う必要がある。ＣＰＵは汎用性が高く多種多様な処理が可能であるが、畳み込み演算など演算量の多い処理を必要とする画像データ処理に対しては多くの時間を要する。
【００４３】
そこで、前述したように、時間のかかる処理として、例えば、合算補正パラメータの生成などを画像表示システムの起動時、例えば、プロジェクタ１が投射を開始する前の段階に予め行っておくことで、プロジェクタ１が投射を開始した以降においては、予め生成されている合算補正パラメータを用いて、複数種類の補正処理をあたかも１つの種類の補正処理を行うかのように実行することができる。これにより、ＧＰＵを搭載していない情報処理装置であっても、本来行うべき複数種類の補正処理を短時間で実行できる。
【００４４】
[実施形態２]
図６の処理においては色ムラ補正パラメータが与えられている代表的な位置と代表的な階調に対して合算補正パラメータを生成し、それ以外の位置と階調を持つ画像データについては合算補正パラメータを線形補間した補正値を用いて補正を行った。しかし、より高
精度な補正を行うためには、以下のような処理を行うことができる。
【００４５】
例えば、色ムラ補正パラメータとして代表的な位置と階調において図７（ａ）に示すような少量（５個としている）の代表値Ｐ１〜Ｐ５が与えられているとする。この場合、合算補正パラメータ生成部２４１は、画像表示システムの起動時、すなわち、プロジェクタ１が投射を開始する前の段階において、これら５個の代表値Ｐ１〜Ｐ５を曲線Ｌ１で結ぶ高次の補間式を用いた高精度な補間を行い、高精度な補間によって得られた曲線Ｌ１を得る。そして、曲線Ｌ１上の点から新たな代表値Ｐ１’，Ｐ２’，Ｐ３’，Ｐ４’，・・・を多数（５個より多く）生成する（図７（ｂ）参照）。そして、新たな色ムラ補正パラメータとガンマ補正パラメータを合算して合算補正パラメータを生成する。
ここまでを、プロジェクタ１が投射を開始する前に行っておく。画像補正処理部２４２は、プロジェクタ１が投射を開始した以降の補正処理においては、新たな代表値Ｐ１’，Ｐ２’，Ｐ３’，Ｐ４’，・・・を図７（ｃ）に示すように単純な線形補間を行って、画像データを補正処理する。
【００４６】
情報処理装置２では、単純な演算は高速に実行できるが、例えば、多項式などの複雑な演算を行う場合にはそれ相応の処理時間を要する。一方、情報処理装置２は、ハードディスクなど大容量の記憶装置を搭載しているのが一般的であり、多量の補正パラメータを記憶することは可能である。そこで、少量の代表的なデータを基にして高次の補間式を用いた補間を行って高精度な補正処理を行うような場合においては、上記のような処理を行うことが好ましい。ここで、高次の補間式とは、２次以上の補間式を含む。
【００４７】
このように、演算量の多い処理は画像表示システムの起動時、すなわち、プロジェクタ１が投射を開始する前の段階に行っておき、プロジェクタ１が投射を開始した以降における補正処理時には、単純な線形補間など演算量の少ない処理だけを行うようにしている。これにより、ホストベース型のプロジェクタを用いた画像表示システムにおいて、情報処理装置側での補正処理がプロジェクタ側での表示のフレームレートに間に合わなくなるといった問題を回避することができ、プロジェクタでは、適切なフレームレートでの表示が可能となる。
【００４８】
なお、これらの処理は、プロジェクタ１が情報処理装置２に接続される前の段階に行っておくということも考えられるが、補正の種類によっては、接続されるプロジェクタの個体差に依存するものも多い（例えば、色ムラ補正など）。したがって、本発明が行うべき処理は、どのプロジェクタが接続されるかが決まった段階で、当該プロジェクタに対応する補正パラメータを取得して初めて行える。この点を考慮すると、情報処理装置２にプロジェクタ１が接続されたあとで、かつ、プロジェクタが投射を開始する前の段階で行われることが好ましい。
【００４９】
なお、本発明は前述の各実施形態に限られるものではなく、本発明の要旨を逸脱しない範囲で種々変形実施可能となるものである。たとえば、前述の各実施形態では、γ補正と色ムラ補正の各補正パラメータが考慮された合算補正パラメータを生成する例について説明したが、γ補正と色ムラ補正に限られるものではなく、合算可能であれば、γ補正と色ムラ補正の各補正パラメータに他の補正パラメータが考慮された合算補正パラメータを生成することも可能であり、また、様々な種類の補正パラメータが考慮された合算補正パラメータを生成することも可能である。
【００５０】
また、前述の各実施形態では、合算補正パラメータとして代表値のみを生成し、補正処理を行う際には、その代表値を線形補間して必要な補正値を得るようにしたが、代表値のみではなく必要な全ての合算補正パラメータを生成しておくようにしてもよい。これにより、線形補間する処理を省くことができる。また、前述した色ムラ補正のように、画素位
置と階調との３次元のデータに依存する補正の場合は、例えば空間方向については全ての画素に対して、階調方向については幾つかの階調に対して、合算補正パラメータを代表値として生成しておくようにしてもよい。この場合は、階調方向に対してのみ線形補間することで必要な補正値を得ることができ、線形補間の処理を少なくすることができる。
【００５１】
また、前述の各実施形態では、画像表示装置としてプロジェクタを例にとって説明したが、プロジェクタに限られるものではなく、例えば、ＣＲＴや液晶ディスプレイなどに画像を表示する直視型の画像表示装置であってもよい。
【００５２】
また、前述の各実施形態では、情報処理装置２がプロジェクタ１から補正パラメータを取得する例で説明したが、各プロジェクタごとの補正パラメータをメモリカード、ＣＤ−ＲＯＭなどの記憶媒体に記憶させておき、情報処理装置２では、これらの記憶媒体から該当するプロジェクタの補正パラメータを取得するようにしてもよい。また、ネットワークを介してプロジェクタの製造又は販売会社などから補正パラメータを取得することも可能である。
このようにすることにより、情報処理装置２では、使用するプロジェクタが決まれば、そのプロジェクタを接続する前の段階であっても、当該プロジェクタの補正パラメータを取得することができるので、合算補正パラメータの生成処理などをより効率よく行うことができる。
【００５３】
また、前述の各実施形態において説明した情報処理装置２で行う画像データ処理を当該情報処理装置２に実行させるためのプログラムとしての画像データ処理プログラムを作成することが可能であり、また、作成した画像データ処理プログラムを各種の記録媒体に記録させておくことも可能である。したがって、本発明は、画像データ処理プログラムとその画像データ処理プログラムを記録した記録媒体をも含むものである。また、画像データ処理プログラムはネットワークから取得するようにしてもよい。
【図面の簡単な説明】
【００５４】
【図１】本発明の実施形態に係る画像表示システムの外観構成を示す図。
【図２】画像投射部１２の構成を概略的に示す図。
【図３】本発明の実施形態に係る画像表示システムの全体的な処理の手順を概略的に説明するフローチャート。
【図４】画像データ取得部２１によって取得された画像データに対してγ補正と色ムラ補正を行う場合の一般的な処理の手順について説明する図。
【図５】合算補正パラメータを生成する手順を説明する図。
【図６】合算補正パラメータを用いて画像データ処理を行う例について説明する図。
【図７】幾つかの代表値として与えられている合算補正パラメータを補間する例について説明する図。
【符号の説明】
【００５５】
１・・・プロジェクタ、２・・・情報処理装置、３・・・接続ケーブル、１１・・・プロジェクタ１側の通信部、１２・・・画像投射部、１３・・・画像補正パラメータ記憶部、１４・・・制御部、２１・・・画像データ取得部、２２・・・補正パラメータ取得部、２３・・・補正パラメータ記憶部、２４・・・画像データ処理部、２５・・・情報処理装置２側の通信部、２４１・・・合算補正パラメータ生成部、２４２・・・画像補正処理部
【図３】
2008233458.tif 000003
【図１】
2008233458.tif 000004
【図２】
2008233458.tif 000005
【図４】
2008233458.tif 000006
【図５】
2008233458.tif 000007
【図６】
2008233458.tif 000008
【図７】
2008233458.tif 000009